(57)【特許請求の範囲】
【請求項１】
信号端子と強電端子とを備えた第１のコネクタと、
強電端子用係止部と、信号端子用係止部と、前記第１のコネクタに嵌合したときに前記第１のコネクタの信号端子に接続される信号端子と、前記第１のコネクタに嵌合したときに前記第１のコネクタの強電端子に接続される強電端子とを備えた第２のコネクタと、
信号端子用解除操作部と、強電端子用解除操作部と、前記第２のコネクタの強電端子用係止部に係止される強電端子用被係止部と、前記第２のコネクタの信号端子用係止部に係止される信号端子用被係止部とを備え、前記第１のコネクタと前記第２のコネクタとに係合し、前記第１のコネクタと前記第２のコネクタとに対して嵌合位置と離脱位置との間で相対的に動くことで、前記第１のコネクタと前記第２のコネクタとの間に嵌合力と離脱力とを作用させるレバーと、
を有し、前記レバーが前記嵌合位置に位置しているときには、前記信号端子用被係止部が前記信号端子用係止部に係止されて、前記各信号端子同士と前記各強電端子とがお互いに接続され、
前記レバーが前記嵌合位置と前記離脱位置との間の位置である所定の中間位置に位置しているときには、前記各強電端子がお互いに接続され、前記各信号端子がお互いに離れ、
前記レバーが前記離脱位置に位置しているときには、前記各強電端子がお互いに離れ、前記各信号端子がお互いに離れ、
前記レバーが前記嵌合位置に位置しているときに、前記信号端子用解除操作部に力を加えることで前記信号端子用被係止部が前記信号端子用係止部から外れ前記レバーが前記所定の中間位置まで回動可能になり、
前記レバーが前記所定の中間位置に位置しているときに、前記強電端子用解除操作部に力を加えることで前記強電端子用被係止部が前記強電端子用係止部から外れ前記レバーが前記離脱位置まで回動可能になるように構成されていることを特徴とするコネクタ係合体。
【請求項２】
請求項１に記載のコネクタ係合体において、
前記レバーには、レバー側ロック干渉部が設けられており、
前記レバーが前記嵌合位置に位置している状態で、前記強電端子用解除操作部に力を加えると、前記レバー側ロック干渉部が前記強電端子用係止部に係合し、前記レバーの回動が不可能になるように構成されていることを特徴とするコネクタ係合体。
【請求項３】
信号端子と強電端子とを備えた第１のコネクタと、
強電端子用解除操作部と、強電端子用被係止部と、信号端子用被係止部と、前記第１のコネクタに嵌合したときに前記第１のコネクタの信号端子に接続される信号端子と、前記第１のコネクタに嵌合したときに前記第１のコネクタの強電端子に接続される強電端子とを備えた第２のコネクタと、
信号端子用解除操作部と、前記第２のコネクタの強電端子用被係止部が係止される強電端子用係止部と、前記第２のコネクタの信号端子用被係止部が係止される信号端子用係止部とを備え、前記第１のコネクタと前記第２のコネクタとに係合し、前記第１のコネクタと前記第２のコネクタとに対して嵌合位置と離脱位置との間で相対的に動くことで、前記第１のコネクタと前記第２のコネクタとの間に嵌合力と離脱力とを作用させるレバーと、
を有し、前記レバーが前記嵌合位置に位置しているときには、前記信号端子用被係止部が前記信号端子用係止部に係止されて、前記各信号端子同士と前記各強電端子とがお互いに接続され、
前記レバーが前記嵌合位置と前記離脱位置との間の位置である所定の中間位置に位置しているときには、前記各強電端子がお互いに接続され、前記各信号端子がお互いに離れ、
前記レバーが前記離脱位置に位置しているときには、前記各強電端子がお互いに離れ、前記各信号端子がお互いに離れ、
前記レバーが前記嵌合位置に位置しているときに、前記信号端子用解除操作部に力を加えることで前記信号端子用被係止部が前記信号端子用係止部から外れ前記レバーが前記所定の中間位置まで回動可能になり、
前記レバーが前記所定の中間位置に位置しているときに、前記強電端子用解除操作部に力を加えることで前記強電端子用被係止部が前記強電端子用係止部から外れ前記レバーが前記離脱位置まで回動可能になるように構成されていることを特徴とするコネクタ係合体。
【請求項４】
請求項３に記載のコネクタ係合体において、
前記レバーには、可動ロックストッパーが設けられており、
前記レバーが前記嵌合位置に位置している状態で、前記強電端子用解除操作部に力を加えても、前記強電端子用解除操作部が前記可動ロックストッパーに当接して、前記強電端子用被係止部が移動不可能に構成されていることを特徴とするコネクタ係合体。
【請求項５】
請求項１に記載のコネクタ係合体において、
前記信号端子用被係止部と前記強電端子用被係止部と前記強電端子用解除操作部とは、前記レバーから延出している弾性部の先端部に形成されていることを特徴とするコネクタ係合体。
【請求項６】
信号端子と強電端子とを備えた第１のコネクタと、
信号端子用係止部と、強電端子用被係止部と、強電端子用解除操作部と、前記第１のコネクタに嵌合したときに前記第１のコネクタの信号端子に接続される信号端子と、前記第１のコネクタに嵌合したときに前記第１のコネクタの強電端子に接続される強電端子とを備えた第２のコネクタと、
信号端子用解除操作部と、前記第２のコネクタの強電端子用被係止部が係止される強電端子用係止部と、前記第２のコネクタの信号端子用係止部に係止される信号端子用被係止部とを備え、前記第１のコネクタと前記第２のコネクタとに係合し、前記第１のコネクタと前記第２のコネクタとに対して嵌合位置と離脱位置との間で相対的に動くことで、前記第１のコネクタと前記第２のコネクタとの間に嵌合力と離脱力とを作用させるレバーと、
を有し、前記レバーが前記嵌合位置に位置しているときには、前記信号端子用被係止部が前記信号端子用係止部に係止されて、前記各信号端子同士と前記各強電端子とがお互いに接続され、
前記レバーが前記嵌合位置と前記離脱位置との間の位置である所定の中間位置に位置しているときには、前記各強電端子がお互いに接続され、前記各信号端子がお互いに離れ、
前記レバーが前記離脱位置に位置しているときには、前記各強電端子がお互いに離れ、前記各信号端子がお互いに離れ、
前記レバーが前記嵌合位置に位置しているときに、前記信号端子用解除操作部に力を加えることで前記信号端子用被係止部が前記信号端子用係止部から外れ前記レバーが前記所定の中間位置まで回動可能になり、
前記レバーが前記所定の中間位置に位置しているときに、前記強電端子用解除操作部に力を加えることで前記強電端子用被係止部が前記強電端子用係止部から外れ前記レバーが前記離脱位置まで回動可能になるように構成されていることを特徴とするコネクタ係合体。
【請求項７】
請求項６に記載のコネクタ係合体において、
レバーは、一対のアーム部とこの一対のアーム部をお互いに連結している連結部を備えて「Ｕ」字状に形成されており、所定の軸を中心にして、第２のコネクタに対して回動するようになっており、
前記強電端子用係止部は、前記アーム部に形成されていることを特徴とするコネクタ係合体。
【発明の詳細な説明】
【技術分野】
【０００１】
本発明は、第１のコネクタと第２のコネクタとを備えたコネクタ係合体に係り、たとえば、第１のコネクタに設置されている第２のコネクタを、レバーを用いて取り外すように構成されているものに関する。
【背景技術】
【０００２】
従来、レバーの回動操作によって、雌コネクタに嵌合している雄コネクタを雌コネクタから離脱させる（取り外す）構造のレバー嵌合式コネクタ（コネクタ係合体）が知られている（たとえば、特許文献１参照）。
【０００３】
上記従来のレバー嵌合式コネクタでは、レバーに設けられているロックアームのレバー部（操作部）を押圧してロックアームを弾性変形させてロックの解除を行い（ロック孔からロック突起を抜き出し）、操作部を押圧したままレバーの回動操作を行い、雄コネクタを雌コネクタから取り外している。
【０００４】
しかし、上記従来のコネクタ係合体では、操作部を押圧したままレバーを回動するので、雄コネクタを雌コネクタから取り外す際、操作部を押圧する方向の力とレバーを回動する方向との力とが必要になる。
【０００５】
また、ロックアーム先端の操作部のみに上記２つの方向の力を加えて、操作部の押圧とレバーの回動とをするようになっている。
【０００６】
したがって、レバーのロックアームに大きな力（ロックアームを弾性変形させる力＋レバーを回動する力）が加わってロックアームが破損するおそれがあるという問題がある。
【０００７】
また、ロックアームを弾性変形させたままでレバーを回動させるので、ロックアームの反発力でレバーがスムーズに回動しないおそれがあるという問題がある。
【０００８】
そこで、上記問題を解決したコネクタ係合体として、図２３〜図２５に示すものが提案されている。
【０００９】
図２３〜図２５に示すコネクタ係合体３０１は、第１のコネクタ（たとえば、サービスプラグ設置体）３０３と第２のコネクタ（たとえば、サービスプラグ）３０５とレバー３０７とを備えて構成されている。また、コネクタ係合体３０１は、たとえば自動車のバッテリーと負荷（モータ）との間を接続する導線の途中に設置されて使用されるようになっている。
【００１０】
第１のコネクタ３０３は、端子３０４を備え、図示しないボルト等の締結具によって図示しないベース体（自動車の車体等）に一体的に設置されるようになっている。
【００１１】
第２のコネクタ３０５は、係止部３１１と端子（第１のコネクタ３０３の端子３０４に接続される端子）３０６とを備え、第１のコネクタ３０３に着脱自在にしかも一体的に設置されるようになっている。
【００１２】
レバー３０７は、操作部（たとえば回動操作部）３１３と第２のコネクタ３０５の係止部３１１に係合する被係止部３１５とを備えている。
【００１３】
また、レバー３０７は、第１のコネクタ３０３と第２のコネクタ３０５とに係合し、第１のコネクタ３０３と第２のコネクタ３０５とに対して相対的に動くことで、第１のコネクタ３０３と第２のコネクタ３０５との間に嵌合力と離脱力とを作用させるようになっている。なお、コネクタ係合体３０１では、レバー３０７が、第２のコネクタ３０５に対して回動するようになっている。
【００１４】
レバー３０７は、第２のコネクタ３０５に回動自在に係合していることに加えて、第２のコネクタ３０５を第１のコネクタ３０３に設置するとき、設置し終えたとき、設置されている状態から取り外すとき（離脱させるとき）に、第１のコネクタ３０３にも係合するようになっている。そして、詳しくは、後述するが、第１のコネクタ３０３に対して相対的に移動し、第２のコネクタ３０５に対して相対的に回動することで、第１のコネクタ３０３と第２のコネクタ３０５との間に嵌合力と離脱力とを作用させるようになっている（第２のコネクタ３０５を第１のコネクタ３０３に対して着脱するための上下方向の力を発生させるようになっている）。
【００１５】
また、コネクタ係合体３０１では、レバー３０７の被係止部３１５が第２のコネクタ３０５の係止部３１１に係合している状態で、第２のコネクタ３０５が第１のコネクタ３０３に一体的に設置されている（嵌合されている）。この状態から、指を用いて被係止部３１５を押圧して弾性変形させ被係止部３１５を係止部３１１から離し、レバー３０７を回動して第２のコネクタ３０５を第１のコネクタ３０３から離すようになっている。このときに、レバー３０７を回動するための操作部３１３に指が当接し、これにより押圧力を操作部３１３に加えて、前述した離脱力を発生させるべくレバー３０７を回動することができるように構成されている。
【００１６】
ここで、コネクタ係合体３０１についてさらに説明する。
【００１７】
説明の便宜のために、第１のコネクタ３０３に対して第２のコネクタ３０５が着脱されるときの第２のコネクタ３０５の移動方向を上下方向とする。さらに、上下方向のうちの一の方向（第２のコネクタ３０５側）を上方向とし、上下方向のうちの他の方向（第１のコネクタ３０３側）を下方向とする。第２のコネクタ３０５が第１のコネクタ３０３に対して下方向に移動して第１のコネクタ３０３に接続され（嵌合され）、第２のコネクタ３０５が第１のコネクタ３０３に対して上方向に移動して第１のコネクタ３０３から離れる（離脱する）ようになっている。また、上下方向に対して直交する一方向を縦方向とし、上下方向と縦方向とに直交する一方向を幅方向（横方向）とする。
【００１８】
第１のコネクタ３０３は、合成樹脂等の絶縁性の材料で構成されている第１のコネクタハウジング（図示せず）を備えている。第１のコネクタハウジングは、たとえば矩形な筒状に形成されている本体を備えており、この本体の内部下方には、たとえば端子（雌端子）３０４が設けられている。また、本体の内部上方には、コネクタ嵌合室３３３が設けられている。さらに、本体には、図２３で示すように、カムピン３３４が設けられている。
【００１９】
カムピン３３４は、一対で設けられており、第１のコネクタ３０３の本体の外壁（横方向の両端に位置する一対の外壁から）から突出している。
【００２０】
第２のコネクタ３０５は、合成樹脂等の絶縁性の材料で構成されている第２のコネクタハウジング３３５と、合成樹脂等の絶縁性の材料で構成されているカバー（感電防止カバー）３３７とを備えている。第２のコネクタハウジング３３５には、端子（雄端子）３０６が設けられている。そして、第２のコネクタ３０５を第１のコネクタ３０３に設置したときに（嵌合させたときに）、第２のコネクタハウジング３３５が第１のコネクタ３０３のコネクタ嵌合室３３３内に入り込み、端子３０４に第２のコネクタ３０５の端子３０６が接続されるようになっている。
【００２１】
また、カバー３３７は、合成樹脂等の絶縁性の材料で構成されており、筒状部３３９と上板部３４１とを備えた矩形な枡状に形成されている本体部３４３と、係止部３１１と、回動支軸３４５とを備えている。
【００２２】
そして、第２のコネクタ３０５を第１のコネクタ３０３に設置したときに、カバー３３７が、第１のコネクタ３０３の上部を覆うようにして、第１のコネクタ３０３の上部に蓋をしている。そして、第２のコネクタ３０５が、コネクタ嵌合室３３３内に入り込んでいる。
【００２３】
また、第１のコネクタ３０３に第２のコネクタ３０５を設置した状態では、カバー３３７の筒状部３３９が、第１のコネクタハウジングの上端側の部位を囲っている。カムピン３３４は、図２３で示すように、カバー３３７よりも下方に位置している。
【００２４】
回動支軸３４５は、一対で設けられており、カバー３３７の外壁（横方向の両端に位置する一対の外壁から）から突出している。また、一対の回動支軸３４５は、図２３で示すように、上下方向と縦方向では、カバー３３７の中間部に位置している。
【００２５】
レバー３０７は、合成樹脂等の絶縁性の材料で構成されており、一対のアーム部３４７と連結部３４９とを備えて「Ｕ」字状に形成された本体３２３と、操作部３１３と被係止部３１５とカム溝３５７と係合孔（回動支軸係合孔）３５９とを備えている。
【００２６】
カム溝３５７は、アーム部３４７の長手方向に延びて一対のアーム部３４７それぞれに設けられている。カム溝３５７の貫通方向は、レバー３０７の幅方向（コネクタ係合体３０１の幅方向）になっている。係合孔（貫通孔）３５９は、アーム部３４７の長手方向の中間部で一対のアーム部３４７のそれぞれに設けられている。係合孔３５９の貫通方向も、レバー３０７の幅方向になっている。また、係合孔３５９は、アーム部３４７の長手方向と連結部３４９の長手方向とに直交する方向であるレバー３０７の厚さ方向で、係合孔３５９から離れている。なお、レバー３０７が嵌合位置（図２５参照）に位置しているコネクタ係合体３０１では、係合孔３５９は、カム溝３５７よりも上方に位置している。
【００２７】
カバー３３７にレバー３０７を設置した状態では、係合孔３５９に回動支軸３４５が入り込み、レバー３０７が、回動支軸３４５を中心にして回動するようになっている。なお、レバー３０７の回動角度は、図２４と図２５で示すように、約９０°の範囲になっている。
【００２８】
さらに、レバー３０７が設置された第２のコネクタ３０５（カバー３３７）が、第１のコネクタ３０３に設置された状態では、カム溝３５７に第１のコネクタ３０３カムピン３３４が挿入されている。
【００２９】
そして、レバー３０７は、カム溝３５７内にカムピン３３４が挿入されている状態で、嵌合位置（図２５参照）と離脱位置（図２４参照）との間を、回動支軸３４５を回動中心にして回動するようになっている。
【００３０】
この回動によって、カムピン３３４がカム溝３５７内を移動し、第２のコネクタ３０５と第１のコネクタ３０３との間に嵌合力または離脱力が作用するようになっている。すなわち、図２４に示す状態からレバー３０７が時計回りに（矢印Ａ２４の方向に）回動すると、第２のコネクタ３０５が下降して第１のコネクタ３０３に嵌合されるようになっている。また、図２５に示す状態からレバー３０７が半時計回りに（矢印Ａ２５の方向に）回動すると、第２のコネクタ３０５が上昇して第１のコネクタ３０３に離脱するようになっている。
【先行技術文献】
【特許文献】
【００３１】
【特許文献１】特開平１１−３０７１７２号公報
【発明の概要】
【発明が解決しようとする課題】
【００３２】
上記従来のコネクタ係合体３０１では、図２５で示す嵌合状態にあるとき、被係止部３１５を撓ませることで被係止部３１５を係止部３１１から外し、レバー３０７を回動させて、第２のコネクタ３０５を第１のコネクタ３０３から取り外している。これにより、端子３０６が端子３０４から離れるようになっている。
【００３３】
ところで、上記従来のコネクタ係合体３０１にメイン回路（強電回路）と信号回路とが設けられている場合がある。すななち、第１のコネクタ３０３にメイン回路の端子と信号回路の端子とが設けられており、第２のコネクタにも、メイン回路の端子と信号回路の端子とが設けられている場合がある。そして、レバー３０７の回動によって、第１のコネクタ３０３のメイン端子と第２のコネクタ３０５のメイン端子とが接続されまた離れ、第１のコネクタ３０３の信号端子と第２のコネクタ３０５の信号端子とが接続されまた離れるようになっている場合がある。
【００３４】
強電回路と信号回路とが設けられている場合についてさらに説明する。
【００３５】
強電回路は、第１のコネクタ３０３に設けられている端子（たとえば端子３０４）と第２のコネクタ３０５に設けられている端子（たとえば端子３０６）とを備えている。信号回路も、第１のコネクタ３０３に設けられている端子（たとえば端子３０４とは異なる端子）と、第２のコネクタ３０５に設けられている端子（たとえば端子３０６とは異なる端子）とを備えている。
【００３６】
そして、図２５に示す嵌合状態では、第１のコネクタ３０３に設けられている強電回路の端子と、第２のコネクタ３０５に設けられている強電回路の端子とがお互いに接続されており、第１のコネクタ３０３に設けられている信号回路の端子と、第２のコネクタ３０５に設けられている信号回路の端子とがお互いに接続されている。
【００３７】
一方、図２４に示す離脱状態では、第２のコネクタ３０５に設けられている強電回路の端子が第１のコネクタ３０３に設けられている強電回路の端子から離れており、第２のコネクタ３０５に設けられている信号回路の端子が第１のコネクタ３０３に設けられている信号回路の端子から離れている。
【００３８】
さらに、図２５に示す嵌合状態と図２４に示す離脱状態との間の所定の中間状態（レバー３０７が図２５で示す嵌合位置と図２４で示す離脱位置との間の所定の中間位置に位置している状態）では、第２のコネクタ３０５に設けられている信号回路の端子が第１のコネクタ３０３に設けられている信号回路の端子から離れているが、第１のコネクタ３０３に設けられている強電回路の端子と、第２のコネクタ３０５に設けられている強電回路の端子とがお互いに接続されている。
【００３９】
つまり、図２５に示す嵌合状態と図２４に示す離脱状態との間で、第２のコネクタ３０５を第１のコネクタ３０３から次第に離すと、先に、第２のコネクタ３０５に設けられている信号回路の端子が第１のコネクタ３０３に設けられている信号回路の端子から離れ、続いて、第２のコネクタ３０５に設けられている強電回路の端子が第１のコネクタ３０３に設けられている強電回路の端子から離れるようになっている。
【００４０】
信号回路の各端子は、たとえばリレー（図示せず）の信号スイッチを構成している。そして、信号回路の各端子がお互いに接続されたとき、上記リレーの操作コイルに電流が流れて、リレーの鉄片が操作コイルの鉄芯に吸着され、固定接点と鉄片に設けられている可動接点とが導通するようになっている。一方、信号回路の各端子がお互いに離れたときには、上記リレーの操作コイルに電流が流れなくなり、上記リレーの鉄片がバネの復元力によってコイルの鉄片から離れ、鉄片に設けられている可動接点が固定接点から離れるようになっている。
【００４１】
上記構成において、強電回路の各端子（各コネクタの強電端子）と上記リレーの可動接点と固定接点とは直列に接続されている。たとえば、端子３０４は導線を介して負荷（モータ）に接続されており、端子３０６は導線を介して上記リレーの固定接点に接続されており、上記リレーの可動接点は導線を介してバッテリーに接続されている。
【００４２】
このように強電回路と信号回路とが設けられている上記従来のコネクタ係合体３０１では、信号回路の遮断からメイン回路の遮断が一段階のロック（係止部３１１と被係止部３１５とのロック）によってなされているので、明確な時間差が無く（信号回路の端子同士が離れてからメイン回路の端子同士が離れるまでの時間がとても短く）、信号回路の遮断とメイン回路の遮断の際にスパークが発生するおそれがあるという問題がある。
【００４３】
本発明は、上記問題点に鑑みてなされたものであり、信号回路と強電回路とを備えたコネクタ係合体であって、信号回路やメイン回路を遮断するときに、アークが発生することを防止することができるものを提供することを目的とする。
【課題を解決するための手段】
【００４４】
請求項１に記載の発明は、信号端子と強電端子とを備えた第１のコネクタと、強電端子用係止部と、信号端子用係止部と、前記第１のコネクタに嵌合したときに前記第１のコネクタの信号端子に接続される信号端子と、前記第１のコネクタに嵌合したときに前記第１のコネクタの強電端子に接続される強電端子とを備えた第２のコネクタと、信号端子用解除操作部と、強電端子用解除操作部と、前記第２のコネクタの強電端子用係止部に係止される強電端子用被係止部と、前記第２のコネクタの信号端子用係止部に係止される信号端子用被係止部とを備え、前記第１のコネクタと前記第２のコネクタとに係合し、前記第１のコネクタと前記第２のコネクタとに対して嵌合位置と離脱位置との間で相対的に動くことで、前記第１のコネクタと前記第２のコネクタとの間に嵌合力と離脱力とを作用させるレバーとを有し、前記レバーが前記嵌合位置に位置しているときには、前記信号端子用被係止部が前記信号端子用係止部に係止されて、前記各信号端子同士と前記各強電端子とがお互いに接続され、前記レバーが前記嵌合位置と前記離脱位置との間の位置である所定の中間位置に位置しているときには、前記各強電端子がお互いに接続され、前記各信号端子がお互いに離れ、前記レバーが前記離脱位置に位置しているときには、前記各強電端子がお互いに離れ、前記各信号端子がお互いに離れ、前記レバーが前記嵌合位置に位置しているときに、前記信号端子用解除操作部に力を加えることで前記信号端子用被係止部が前記信号端子用係止部から外れ前記レバーが前記所定の中間位置まで回動可能になり、前記レバーが前記所定の中間位置に位置しているときに、前記強電端子用解除操作部に力を加えることで前記強電端子用被係止部が前記強電端子用係止部から外れ前記レバーが前記離脱位置まで回動可能になるように構成されているコネクタ係合体である。
【００４５】
請求項２に記載の発明は、請求項１に記載のコネクタ係合体において、前記レバーには、レバー側ロック干渉部が設けられており、前記レバーが前記嵌合位置に位置している状態で、前記強電端子用解除操作部に力を加えると、前記レバー側ロック干渉部が前記強電端子用係止部に係合し、前記レバーの回動が不可能になるように構成されているコネクタ係合体である。
【００４６】
請求項３に記載の発明は、信号端子と強電端子とを備えた第１のコネクタと、強電端子用解除操作部と、強電端子用被係止部と、信号端子用被係止部と、前記第１のコネクタに嵌合したときに前記第１のコネクタの信号端子に接続される信号端子と、前記第１のコネクタに嵌合したときに前記第１のコネクタの強電端子に接続される強電端子とを備えた第２のコネクタと、信号端子用解除操作部と、前記第２のコネクタの強電端子用被係止部が係止される強電端子用係止部と、前記第２のコネクタの信号端子用被係止部が係止される信号端子用係止部とを備え、前記第１のコネクタと前記第２のコネクタとに係合し、前記第１のコネクタと前記第２のコネクタとに対して嵌合位置と離脱位置との間で相対的に動くことで、前記第１のコネクタと前記第２のコネクタとの間に嵌合力と離脱力とを作用させるレバーとを有し、前記レバーが前記嵌合位置に位置しているときには、前記信号端子用被係止部が前記信号端子用係止部に係止されて、前記各信号端子同士と前記各強電端子とがお互いに接続され、前記レバーが前記嵌合位置と前記離脱位置との間の位置である所定の中間位置に位置しているときには、前記各強電端子がお互いに接続され、前記各信号端子がお互いに離れ、前記レバーが前記離脱位置に位置しているときには、前記各強電端子がお互いに離れ、前記各信号端子がお互いに離れ、前記レバーが前記嵌合位置に位置しているときに、前記信号端子用解除操作部に力を加えることで前記信号端子用被係止部が前記信号端子用係止部から外れ前記レバーが前記所定の中間位置まで回動可能になり、前記レバーが前記所定の中間位置に位置しているときに、前記強電端子用解除操作部に力を加えることで前記強電端子用被係止部が前記強電端子用係止部から外れ前記レバーが前記離脱位置まで回動可能になるように構成されているコネクタ係合体である。
【００４７】
請求項４に記載の発明は、請求項３に記載のコネクタ係合体において、前記レバーには、可動ロックストッパーが設けられており、前記レバーが前記嵌合位置に位置している状態で、前記強電端子用解除操作部に力を加えても、前記強電端子用解除操作部が前記可動ロックストッパーに当接して、前記強電端子用被係止部が移動不可能に構成されているコネクタ係合体である。
【００４８】
請求項５に記載の発明は、請求項１に記載のコネクタ係合体において、前記信号端子用被係止部と前記強電端子用被係止部と前記強電端子用解除操作部とは、前記レバーから延出している弾性部の先端部に形成されているコネクタ係合体である。
【００４９】
請求項６に記載の発明は、信号端子と強電端子とを備えた第１のコネクタと、信号端子用係止部と、強電端子用被係止部と、強電端子用解除操作部と、前記第１のコネクタに嵌合したときに前記第１のコネクタの信号端子に接続される信号端子と、前記第１のコネクタに嵌合したときに前記第１のコネクタの強電端子に接続される強電端子とを備えた第２のコネクタと、信号端子用解除操作部と、前記第２のコネクタの強電端子用被係止部が係止される強電端子用係止部と、前記第２のコネクタの信号端子用係止部に係止される信号端子用被係止部とを備え、前記第１のコネクタと前記第２のコネクタとに係合し、前記第１のコネクタと前記第２のコネクタとに対して嵌合位置と離脱位置との間で相対的に動くことで、前記第１のコネクタと前記第２のコネクタとの間に嵌合力と離脱力とを作用させるレバーとを有し、前記レバーが前記嵌合位置に位置しているときには、前記信号端子用被係止部が前記信号端子用係止部に係止されて、前記各信号端子同士と前記各強電端子とがお互いに接続され、前記レバーが前記嵌合位置と前記離脱位置との間の位置である所定の中間位置に位置しているときには、前記各強電端子がお互いに接続され、前記各信号端子がお互いに離れ、前記レバーが前記離脱位置に位置しているときには、前記各強電端子がお互いに離れ、前記各信号端子がお互いに離れ、前記レバーが前記嵌合位置に位置しているときに、前記信号端子用解除操作部に力を加えることで前記信号端子用被係止部が前記信号端子用係止部から外れ前記レバーが前記所定の中間位置まで回動可能になり、前記レバーが前記所定の中間位置に位置しているときに、前記強電端子用解除操作部に力を加えることで前記強電端子用被係止部が前記強電端子用係止部から外れ前記レバーが前記離脱位置まで回動可能になるように構成されているコネクタ係合体である。
【００５０】
請求項７に記載の発明は、請求項６に記載のコネクタ係合体において、レバーは、一対のアーム部とこの一対のアーム部をお互いに連結している連結部を備えて「Ｕ」字状に形成されており、所定の軸を中心にして、第２のコネクタに対して回動するようになっており、前記強電端子用係止部は、前記アーム部に形成されているコネクタ係合体である。
【発明の効果】
【００５１】
本発明によれば、信号回路と強電回路とを備えたコネクタ係合体であって、信号回路やメイン回路を遮断するときに、アークが発生することを防止することができるものを提供することができるという効果を奏する。
【図面の簡単な説明】
【００５２】
【図１】本発明の第１の実施形態に係るコネクタ係合体（レバーが離脱位置に位置しているコネクタ係合体）の斜視図（上方からの斜視図）である。
【図２】本発明の第１の実施形態に係るコネクタ係合体（レバーが離脱位置に位置しているコネクタ係合体）の斜視図（下方からの斜視図）である。
【図３】（ａ）は本発明の第１の実施形態に係るコネクタ係合体（レバーが嵌合位置に位置しているコネクタ係合体）の平面図であり、（ｂ）は（ａ）におけるＩＩＩＢ−ＩＩＩＢ断面を示す図であり、（ｃ）は（ａ）におけるＩＩＩＣ−ＩＩＩＣ断面を示す図である。
【図４】（ａ）は本発明の第１の実施形態に係るコネクタ係合体（レバーが所定の中間位置に位置しているコネクタ係合体）の平面図であり、（ｂ）は（ａ）におけるＩＶＢ−ＩＶＢ断面を示す図である。
【図５】（ａ）は本発明の第１の実施形態に係るコネクタ係合体（レバーが離脱位置に位置しているコネクタ係合体）の平面図であり、（ｂ）は（ａ）におけるＶＢ−ＶＢ断面を示す図である。
【図６】図３（ｂ）におけるＶＩ部の拡大図である。
【図７】本発明の第２の実施形態に係るコネクタ係合体（レバーが離脱位置に位置しているコネクタ係合体）の斜視図（上方からの斜視図）である。
【図８】本発明の第２の実施形態に係るコネクタ係合体（レバーが所定の中間位置に位置しているコネクタ係合体）の斜視図（上方からの斜視図）である。
【図９】本発明の第２の実施形態に係るコネクタ係合体（レバーが嵌合位置に位置しているコネクタ係合体）の斜視図（上方からの斜視図）である。
【図１０】（ａ）は本発明の第２の実施形態に係るコネクタ係合体（レバーが嵌合位置に位置しているコネクタ係合体）の平面図であり、（ｂ）は（ａ）におけるＸＢ−ＸＢ断面を示す図であり、（ｃ）は（ａ）におけるＸＣ−ＸＣ断面を示す図である。
【図１１】（ａ）は本発明の第２の実施形態に係るコネクタ係合体（レバーが所定の中間位置に位置しているコネクタ係合体）の平面図であり、（ｂ）は（ａ）におけるＸＩＢ−ＸＩＢ断面を示す図である。
【図１２】（ａ）は本発明の第２の実施形態に係るコネクタ係合体（レバーが離脱位置に位置しているコネクタ係合体）の平面図であり、（ｂ）は（ａ）におけるＸＩＩＢ−ＸＩＩＢ断面を示す図である。
【図１３】本発明の第３の実施形態に係るコネクタ係合体（レバーが離脱位置に位置しているコネクタ係合体）の斜視図（上方からの斜視図）である。
【図１４】本発明の第３の実施形態に係るコネクタ係合体（レバーが離脱位置に位置しているコネクタ係合体）の斜視図（図１３とは異なる別の上方から見た斜視図）である。
【図１５】（ａ）は本発明の第３の実施形態に係るコネクタ係合体（レバーが嵌合位置に位置しているコネクタ係合体）の平面図であり、（ｂ）は（ａ）におけるＸＶＢ−ＸＶＢ断面を示す図である。
【図１６】（ａ）は本発明の第３の実施形態に係るコネクタ係合体（レバーが所定の中間位置に位置しているコネクタ係合体）の平面図であり、（ｂ）は（ａ）におけるＸＶＩＢ−ＸＶＩＢ断面を示す図である。
【図１７】（ａ）は本発明の第３の実施形態に係るコネクタ係合体（レバーが離脱位置に位置しているコネクタ係合体）の平面図であり、（ｂ）は（ａ）におけるＸＶＩＩＢ−ＸＶＩＩＢ断面を示す図である。
【図１８】本発明の第４の実施形態に係るコネクタ係合体（レバーが離脱位置に位置しているコネクタ係合体）の斜視図（上方からの斜視図）である。
【図１９】本発明の第４の実施形態に係るコネクタ係合体（レバーが離脱位置に位置しているコネクタ係合体）の斜視図（図１８とは異なる別の上方から見た斜視図）である。
【図２０】（ａ）は本発明の第４の実施形態に係るコネクタ係合体（レバーが嵌合位置に位置しているコネクタ係合体）の平面図であり、（ｂ）は（ａ）におけるＸＸＢ−ＸＸＢ断面を示す図である。
【図２１】（ａ）は本発明の第４の実施形態に係るコネクタ係合体（レバーが所定の中間位置に位置しているコネクタ係合体）の平面図であり、（ｂ）は（ａ）におけるＸＸＩＢ−ＸＸＩＢ断面を示す図である。
【図２２】（ａ）は本発明の第４の実施形態に係るコネクタ係合体（レバーが離脱位置に位置しているコネクタ係合体）の平面図であり、（ｂ）は（ａ）におけるＸＸＩＩＢ−ＸＸＩＩＢ断面を示す図である。
【図２３】従来のコネクタ係合体（レバーが離脱位置に位置しているコネクタ係合体）を示す斜視図である。
【図２４】（ａ）は、従来のコネクタ係合体（レバーが離脱位置に位置しているコネクタ係合体）を示す平面図であり、（ｂ）は（ａ）におけるＸＸＩＶＢ−ＸＸＩＶＢ断面を示す図である。
【図２５】（ａ）は、従来のコネクタ係合体（レバーが嵌合位置に位置しているコネクタ係合体）を示す平面図であり、（ｂ）は（ａ）におけるＸＸＶＢ−ＸＸＶＢ断面を示す図である。
【発明を実施するための形態】
【００５３】
［第１の実施形態］
本発明の第１の実施形態に係るコネクタ係合体１は、従来のコネクタ係合体３０１と同様に、図示しない第１のコネクタ（たとえば、サービスプラグ設置体；基材やベース体であってもよい。）と第２のコネクタ（たとえば、サービスプラグ）５とレバー７とを備えて構成されている。そして、コネクタ係合体１は、たとえば自動車のバッテリーと負荷（モータ）との間を接続する導線の途中に設置されて使用されるようになっている。
【００５４】
また、コネクタ係合体１は、従来のコネクタ係合体３０１と同様にして、レバー７を移動（たとえば、回動）することで、第２のコネクタ５が第１のコネクタに対して接近もしくは離反する方向に移動し、第２のコネクタ５と第１のコネクタとの嵌合と離脱とがなされるように構成されている。
【００５５】
第１のコネクタは、図１〜図５で示すように、信号端子（信号回路端子；メス端子）と強電端子（強電回路端子；メイン回路端子；メス端子）とを備えている。
【００５６】
第２のコネクタ５は、強電端子用係止部（強電端子用ロック部）９と、信号端子用係止部（信号端子用ロック部）１１と、信号端子（信号回路端子；オス端子）１３と、強電端子（強電回路端子；メイン回路端子；オス端子）１５とを備えている。
【００５７】
信号端子１３は、第２のコネクタ５を第１のコネクタに嵌合したときに、第１のコネクタの信号端子に接続されるようになっている。また、強電端子１５も、第２のコネクタ５を第１のコネクタに嵌合したときに、第１のコネクタの強電端子に接続されるようになっている。
【００５８】
そして、第２のコネクタ５の信号端子１３が第１のコネクタの信号端子に接続されたときに信号回路が通じ、第２のコネクタ５の信号端子１３が第１のコネクタの信号端子から離れたときに信号回路が遮断されるようになっている。また、第２のコネクタ５の強電端子１５が第１のコネクタの強電端子に接続されたときに強電回路が通じ、第２のコネクタ５の強電端子１５が第１のコネクタの強電端子から離れたときに強電回路が遮断されるようになっている。
【００５９】
また、コネクタ係合体１では、従来のコネクタ係合体３０１と同様にして、上記信号回路の各端子（第１のコネクタの信号端子と第２のコネクタ５の信号端子１３）が、たとえばリレー（図示せず）の信号スイッチを構成している。そして、信号回路の各端子がお互いに接続されたとき、上記リレーの操作コイルに電流が流れて、リレーの鉄片が操作コイルの鉄芯に吸着され、固定接点と鉄片に設けられている可動接点とが導通するようになっている。一方、信号回路の各端子がお互いに離れたときには、上記リレーの操作コイルに電流が流れなくなり、上記リレーの鉄片がバネの復元力によってコイルの鉄片から離れ、鉄片に設けられている可動接点が固定接点から離れるようになっている。
【００６０】
また、上記強電回路の各端子と上記リレーの可動接点と固定接点とは直列に接続される。たとえば、強電回路の端子（第１のコネクタの強電端子）は導線を介して負荷（モータ）に接続され、第２のコネクタ５の強電端子１５は導線を介して上記リレーの固定接点に接続され、上記リレーの可動接点は導線を介してバッテリーに接続される。
【００６１】
レバー７は、信号端子用解除操作部（信号端子用解除用指掛け部）１７と、強電端子用解除操作部（強電端子用ロック解除操作部）１９と、第２のコネクタ５の強電端子用係止部９に係止される強電端子用被係止部（強電端子用被ロック部）２１と、第２のコネクタ５の信号端子用係止部１１に係止される信号端子用被係止部（信号端子用ランス部）２３とを備えている。
【００６２】
また、レバー７は、従来のコネクタ係合体３０１と同様にして、第２のコネクタ５に対して回動するように設けられており、第１のコネクタのカムピンを介して第１のコネクタに係合し、第１のコネクタと第２のコネクタとに対して嵌合位置（図３参照）と離脱位置（図５参照）との間で相対的に動くことで、第１のコネクタと第２のコネクタ５との間に嵌合力と離脱力とを作用させるように構成されている。
【００６３】
そして、レバー７が嵌合位置に位置しているときには、第２のコネクタ５が第１のコネクタに最も近づいて、第２のコネクタ５が第１のコネクタに一体的に嵌合しており（嵌合状態になっており）、信号端子用被係止部２３が信号端子用係止部１１に係止されて、各信号端子同士と各強電端子とがお互いに接続されるように構成されている（第２のコネクタ５の信号端子１３が第１のコネクタの信号端子に接続され、第２のコネクタ５の強電端子１５が第１のコネクタの強電端子に接続されるように構成されている）。
【００６４】
また、レバー７が嵌合位置と離脱位置との間の位置である所定の中間位置（図４参照）に位置しているときには、第２のコネクタ５が第１のコネクタから所定量抜け出て、各強電端子はお互いに接続され、各信号端子がお互いに離れるように構成されている（第２のコネクタ５の信号端子１３が第１のコネクタの信号端子から離れる一方で、第２のコネクタ５の強電端子１５が第１のコネクタの強電端子に接続されているように構成されている）。
【００６５】
また、レバー７が離脱位置に位置しているときには、第２のコネクタ５が第１のコネクタからほぼ離れ（離脱状態になっており）、各強電端子がお互いに離れ、各信号端子がお互いに離れるように構成されている（第２のコネクタ５の信号端子１３が第１のコネクタの信号端子から離れ、第２のコネクタ５の強電端子１５が第１のコネクタの強電端子から離れるように構成されている）。
【００６６】
また、レバー７が嵌合位置に位置し信号端子用被係止部２３が信号端子用係止部１１に係止されている状態では、レバー７は容易には回動しないようになっている。レバー７が嵌合位置に位置しているときに、信号端子用解除操作部１７に力（図３に矢印Ａ３ａで示す押圧力）を加えることで、信号端子用被係止部２３を支持している棒状部２５が弾性変形して、信号端子用被係止部２３が信号端子用係止部１１から外れ、レバー７が嵌合位置から所定の中間位置（図４参照）まで回動可能になるように構成されている。
【００６７】
また、レバー７が所定の中間位置に位置し強電端子用被係止部２１が強電端子用係止部９に係止されている状態では、レバー７が離脱位置側には回動不可能になっている。レバー７が所定の中間位置に位置しているときに、強電端子用解除操作部１９に力（図４に矢印Ａ４ａで示す方向の力）を加えることで、強電端子用被係止部２１を支持している小アーム部２７が弾性変形して、強電端子用被係止部２１が図４に矢印Ａ４ｂで示す方向に移動して強電端子用係止部９から外れるようなっている。そして、レバー７が所定の中間位置から離脱位置まで回動可能になるように構成されている。
【００６８】
レバー７は、従来のコネクタ係合体３０１と同様にして、一対のアーム部２９とこの一対のアーム部２９をお互いに連結している連結部３１を備えて「Ｕ」字状に形成されている。そして、レバー７は、一対のアーム部２９の長手方向の中間部が第２のコネクタ５に係合しており、所定の軸（第２のコネクタ５の回動支軸３３）を中心にして、第２のコネクタ５に対して回動するようになっている。
【００６９】
図示しない第１のコネクタは、枡状の第１のコネクタ本体部を備えて構成されており、コネクタ本体部の内側には、コネクタ嵌合室が形成されている。第１のコネクタの信号端子と強電端子とは、コネクタ嵌合室内に配置されている。
【００７０】
第２のコネクタ５は、第２のコネクタ本体部３５とこの第２のコネクタ本体部３５と一体になっている枡状のカバー（感電防止カバー）３７とを備えて構成されている。カバー３７は、第２のコネクタ本体部３５の一方の側（上側）に設けられており、カバー３７の側壁部３９は、第２のコネクタ本体部３５から所定の距離だけ離れて第２のコネクタ本体部３５を囲んでいる。第２のコネクタ５の信号端子１３と強電端子１５とは、第２のコネクタ本体部３５に設けられている。
【００７１】
そして、レバー７が嵌合位置に位置し第２のコネクタ５を第１のコネクタに一体的に嵌合しているときには（嵌合状態にあるときには）、第２のコネクタ本体部３５が第１のコネクタのコネクタ嵌合室内に入り込み、各信号端子がお互いに接続し、各強電端子がお互いに接続している。
【００７２】
また、レバー７が嵌合位置に位置し第２のコネクタ５を第１のコネクタに一体的に嵌合しているときには、カバー３７の側壁部３９と第２のコネクタ本体部３５との間の間隙に第１のコネクタ本体部の側壁部が入り込み、パッキン４１でシールされることにより、コネクタ嵌合室内（各信号端子や各強電端子のところ）が外部と遮断され防水されている。
【００７３】
なお、この防水は、たとえば、レバー７が嵌合位置から離脱側位置の間に位置している状態で維持されているか、もしくは、レバー７が嵌合位置から離脱側位置の近傍位置の間に位置している状態で維持されているものとする。
【００７４】
なお、レバー７が嵌合位置に位置しているとき、第２のコネクタ本体部３５に対して回動するレバー７は、概ね水平方向に延伸している（図３参照）。また、レバー７が所定の中間位置に位置しているとき、第２のコネクタ本体部３５に対して回動するレバー７は、嵌合位置から３０°程度回動した状態（レバー７の角度が高い状態）になっており（図４参照）、レバー７が離脱位置に位置しているとき、第２のコネクタ本体部３５に対して回動するレバー７は、嵌合位置から９０°程度回動した状態（レバー７の角度がさらに高い状態）になっている（図５参照）。
【００７５】
また、レバー７には、レバー側ロック干渉部４３が設けられている。そして、レバー７が嵌合位置に位置している状態で、強電端子用解除操作部１９に力を加えると、レバー側ロック干渉部４３が強電端子用係止部９に係合し、レバー７の回動が不可能になるように構成されている。
【００７６】
すなわち、レバー７が嵌合位置に位置している状態で、強電端子用解除操作部に力（図６に矢印Ａ６ａで示す押圧力；レバー側ロック干渉部４３が強電端子用係止部９側に移動する方向の力）を加えると、レバー側ロック干渉部４３が設けられている小アーム部４５が図６に二点鎖線で示すように弾性変形して、レバー側ロック干渉部４３が強電端子用係止部９に係合し、信号端子用解除操作部１７に力（図６に矢印Ａ６ｂで示す押圧力）を加えても、レバー７が回動できす、信号端子用被係止部２３が信号端子用係止部１１から外れないようになっている。
【００７７】
ここで、コネクタ係合体１についてさらに詳しく説明する。
【００７８】
第１のコネクタ本体部や第２のコネクタ本体部３５やカバー３７やレバー７は、従来のものと同様に、たとえば絶縁性の合成樹脂で構成されている。レバー７の一対のアーム部２９には、第１のコネクタ係合体のカムピンに係合するカム溝４７と回動支軸３３に係合する回動支軸係合孔４９とが設けられている。
【００７９】
ここで、説明の便宜のために、第１のコネクタに対して第２のコネクタ５が着脱されるときの第２のコネクタ５の移動方向を上下方向とする。さらに、上下方向のうちの一の方向（第２のコネクタ５側）を上方向とし、上下方向のうちの他の方向（第１のコネクタ側）を下方向とする。第２のコネクタ５が第１のコネクタに対して下方向に移動して第１のコネクタに接続され（嵌合され）、第２のコネクタ５が第１のコネクタに対して上方向に移動して第１のコネクタから離れる（離脱する）ようになっている。また、上下方向に対して直交する一方向を縦方向とし、上下方向と縦方向とに直交する一方向を幅方向（横方向）とする。
【００８０】
レバー７は第２のコネクタ５に対して回動しその姿勢が変化するようになっている。すなわち、図３に示す嵌合位置に位置しているときには、レバー７の一対のアーム部２９が縦方向に延伸している。また、図４に示す離脱位置にしているときには、レバー７の一対のアーム部２９が上下方向に延伸している。ここで、レバー７における上下方向、縦方向、幅方向とは、原則的に図３に示す嵌合位置のときのものをいうことにする。
【００８１】
第２のコネクタ５の強電端子用係止部９は、カバー３７の幅方向の中央部でカバー３７の縦方向の一端部から突出している。また、強電端子用係止部９は、弾性変形をほとんどしないようになっている。
【００８２】
第２のコネクタ５の信号端子用係止部１１は、カバー３７の幅方向の両端に一対で設けられており、カバー３７の縦方向の一端部から突出している。信号端子用係止部１１も、弾性変形をほとんどしないようになっている。
【００８３】
レバー７の連結部３１は、縦方向の一端部（図１や図５では上方）に設けられている。そして、第１のコネクタと第２のコネクタ５とが嵌合状態（レバー７が嵌合位置に位置している状態）にあるときには、図３（ａ）で示すように、レバー７の一対のアーム部２９が幅方向で第２のコネクタ５の両外側に位置し、レバー７の連結部３１が縦方向で第２のコネクタ５から僅かに離れている。
【００８４】
レバー７の連結部３１からは、縦方向の一端部側に小アーム部２７、４５が突出している。小アーム部２７、４５は弾性を備えている。小アーム部（基端側小アーム部）２７は、連結部３１から下方に向かって突出している。小アーム部（先端側小アーム部）４５は、小アーム部２７の先端から、上方であって縦方向の一端部側に向かって斜めに突出している。これにより、幅方向から見ると、各小アーム部２７、４５が「Ｖ」字状になっている。
【００８５】
小アーム部２７と小アーム部４５の接合部位（小アーム部２７の先端；小アーム部４５の基端）には、強電端子用被係止部２１が設けられて稼動ロックが形成されており、小アーム部４５の先端には、強電端子用解除操作部１９とレバー側ロック干渉部４３とが形成されている。
【００８６】
また、レバー７の連結部３１には、断面（図３では上下方向に対して直交する平面による断面；図１や図５では縦方向に対して直交する平面による断面）が「コ」字状になっている「コ」字状部位５１が設けられている。
【００８７】
「コ」字状部位５１は、一対の側壁部５３と先端側壁部５５とを備えて構成されており、各小アーム部２７、４５を囲うようにして、レバー７の連結部３１から縦方向の一端部側（図１や図５では上方、図３では縦方向の一端部側）に突出している。
【００８８】
信号端子用解除操作部１７は、先端側壁部５５に設けられており、信号端子用被係止部２３は、一対の側壁部５３のそれぞれから上方向（図１では縦方向の他端部側）に突出している一対の棒状部２５の先端に設けられている。
【００８９】
次に、コネクタ係合体１の動作について説明する。
【００９０】
まず、図３に示す嵌合状態において、第１のコネクタから第２のコネクタ５を離脱させる場合について説明する。
【００９１】
図３に示す状態（レバー７が嵌合位置に位置している状態）において、信号端子用解除操作部１７を矢印Ａ３ａで示す力を加えて、レバー７を図３の矢印Ａ３ｂで示す方向に回動する。
【００９２】
この回動に伴う、レバー７の一対のアーム部２９のカム溝４７とカムピンとの係合位置の変化により、第２のコネクタ５が上方に移動する。また、上記回動により、棒状部２５が内側に（幅方向の中央側に）弾性変形して信号端子用被係止部２３が信号端子用係止部１１からはずれる。レバー７をさらに回動すると、棒状部２５が復元し、第２のコネクタ５の信号端子１３が第１のコネクタの信号端子から離れる。
【００９３】
さらに、レバー７を回動すると、図４で示すように、レバー７が所定の中間位置に位置して所定の中間状態になる。この所定の中間状態では、第２のコネクタ５の強電端子１５は第１のコネクタの強電端子に接続されている。また、強電端子用被係止部２１が強電端子用係止部９に当接しており、レバー７は、これ以上、離脱位置側（矢印Ａ４ｃで示す側）には回動しないようになっている。
【００９４】
図４に示す状態において、強電端子用解除操作部１９に矢印Ａ４ａで示す力を加えると、小アーム部２７が弾性変形して、強電端子用被係止部２１が図４に矢印Ａ４ｂで示す方向に移動して強電端子用係止部９から外れ、レバー７が、離脱位置側（矢印Ａ４ｃで示す側）に回動できるようになる。
【００９５】
そこで、強電端子用解除操作部１９に矢印Ａ４ａで示す力を加たまま、レバー７の信号端子用解除操作部１７に力を加えて、レバー７を矢印Ａ４ｃで示す側に回動させると、レバー７が回動するとともに、第２のコネクタ５が次第の上方に移動して第１のコネクタから次第に離れて、第２のコネクタ５の強電端子１５が第１のコネクタの強電端子から離れる。レバー７をさらに回動させると、図５に離脱状態になる。
【００９６】
なお、図５に示す離脱状態から図３に示す嵌合状態にするには、レバー７を、図５の矢印Ａ５で示す側に単に回動させればよく、強電端子用解除操作部１９等に別途力を加える必要はない。
【００９７】
コネクタ係合体１によれば、レバー７が嵌合位置に位置しているときに信号端子用解除操作部１７に力を加えることで信号端子用被係止部２３が信号端子用係止部１１から外れレバー７が所定の中間位置まで回動可能になり、この回動をするときに各信号端子同士のみが切断され、レバー７が所定の中間に位置しているときに強電端子用解除操作部１９に力を加えることで強電端子用被係止部２１が強電端子用係止部９から外れ、レバー７が離脱位置まで回動可能になり、この回動をするときに各強電端子同士が切断されるように構成されているので、信号回路の遮断時と強電回路（メイン回路）の遮断時との間に明確な時間差が存在することになる。したがって、信号回路やメイン回路を遮断するときに、アークが発生することを防止することができる。
【００９８】
また、コネクタ係合体１によれば、各信号端子と各強電端子とが防水されている構造であっても、レバー７の角度が高い位置で強電端子用ロックがかかるようにしてあるので、二段階ロック構造にすることができる。すなわち、レバー７が嵌合位置から離脱側位置の間に位置している状態、もしくは、レバー７が嵌合位置から離脱側位置の近傍位置の間に位置している状態でも（レバー７が回動しレバー７の回動角度が高くなっても）、信号回路の端子と強電回路の端子との防水構造が維持されている。そして、信号端子用被係止部２３と信号端子用係止部１１とによる一段目のロックと、強電端子用被係止部２１と強電端子用係止部９とによる二段目のロックとがなされるようになっている。
【００９９】
また、コネクタ係合体１によれば、レバー７が嵌合位置に位置している状態で、強電端子用解除操作部１９に力を加えると、レバー側ロック干渉部４３が強電端子用係止部９に係合し、レバー７の回動が不可能になるように構成されているので、誤操作によってレバー７が離脱位置側に回動することが防止され各信号端子の接続状態が遮断されてしまう事態が防止される。
【０１００】
［第２の実施形態］
本発明の第２の実施形態に係るコネクタ係合体１ａは、強電端子用解除操作部１９と強電端子用被係止部２１と信号端子用被係止部２３とが、第２のコネクタ５に設けられており、信号端子用解除操作部１７と強電端子用係止部９と信号端子用係止部１１とがレバー７に設けられており、さらに、レバー７に可動ロックストッパー５７が設けられている点が、第１の実施形態に係るコネクタ係合体１と異なり、その他の点は、第１の実施形態に係るコネクタ係合体１とほぼ同様に構成されており、コネクタ係合体１とほぼ同様の効果を奏する。
【０１０１】
すなわち、コネクタ係合体１ａは、図７〜図１２で示すように、第１のコネクタ（図示せず）と第２のコネクタ５とレバー７とを備えて構成されている。
【０１０２】
第１のコネクタは、信号端子と強電端子とを備えている。
【０１０３】
第２のコネクタ５は、強電端子用解除操作部１９と、強電端子用被係止部２１と、信号端子用被係止部２３と、第１のコネクタに嵌合したときに第１のコネクタの信号端子に接続される信号端子１３と、第１のコネクタに嵌合したときに第１のコネクタの強電端子に接続される強電端子１５とを備えて構成されている。
【０１０４】
レバー７は、信号端子用解除操作部１７と、第２のコネクタ５の強電端子用被係止部２１が係止される強電端子用係止部９と、第２のコネクタ５の信号端子用被係止部２３が係止される信号端子用係止部１１とを備えて構成されている。
【０１０５】
また、レバー７は、第１のコネクタと第２のコネクタ５とに係合し、第１のコネクタと第２のコネクタ５とに対して嵌合位置（図１０参照）と離脱位置（図１２参照）との間で相対的に動くことで、第１のコネクタと第２のコネクタ５との間に嵌合力と離脱力とを作用させるように構成されている。
【０１０６】
そして、レバー７が嵌合位置に位置しているときには、信号端子用被係止部２３が信号端子用係止部１１に係止されて、各信号端子同士と各強電端子とがお互いに接続されるよ構成されている。
【０１０７】
レバー７が嵌合位置と離脱位置との間の位置である所定の中間位置（図１１参照）に位置しているときには、各強電端子がお互いに接続され、各信号端子がお互いに離れるように構成されている。
【０１０８】
レバー７が離脱位置に位置しているときには、各強電端子がお互いに離れ、各信号端子もお互いに離れるように構成されている。
【０１０９】
レバー７が嵌合位置に位置しているときに、信号端子用解除操作部１７に力を加えることで信号端子用被係止部２３が信号端子用係止部１１から外れ、レバー７が所定の中間位置まで回動可能になるように構成されている。
【０１１０】
レバー７が所定の中間位置に位置しているときに、強電端子用解除操作部１９に力を加えることで強電端子用被係止部２１が強電端子用係止部９から外れレバー７が離脱位置まで回動可能になるように構成されている。
【０１１１】
また、レバー７には、可動ロックストッパー５７（図１０参照）が設けられている。そして、レバー７が嵌合位置に位置している状態で、強電端子用解除操作部１９に力（図１０に示す矢印Ａ１０ａの力）を加えても、強電端子用解除操作部１９が可動ロックストッパーに当接して、強電端子用被係止部２１が移動できないように（移動不可能に）構成されている。
【０１１２】
レバー７の強電端子用係止部９は、連結部３１の中央部に設けられている。レバー７の信号端子用係止部１１は、連結部３１の両端部に一対で設けられている。なお、強電端子用係止部９と信号端子用係止部１１は、弾性変形をほとんどしないようになっている。レバー７の信号端子用解除操作部１７は、連結部３１からアーム部２９とは反対側に突出して設けられている。
【０１１３】
第２のコネクタ５の強電端子用解除操作部１９と強電端子用被係止部２１とは、弾性を備えた棒状部（アーム部；平板状梁部）５９の先端に形成されている。棒状部５９は第２のコネクタ５の所定の箇所（上側で縦方向の一端部）から上方に突出している。
【０１１４】
第２のコネクタ５の信号端子用被係止部２３は、弾性を備えた一対の棒状部２５それそれぞれの先端に形成されている。棒状部２５は、第２のコネクタ５の所定の箇所（下側の縦方向の一端部であって幅方向の両端部）から上方に突出している。
【０１１５】
次に、コネクタ係合体１ａの動作について説明する。
【０１１６】
まず、図１０示す嵌合状態において、第１のコネクタから第２のコネクタ５を離脱させる場合について説明する。
【０１１７】
図１０に示す状態（レバー７が嵌合位置に位置している状態）において、信号端子用解除操作部１７に力を加えて、レバー７を図１０の矢印Ａ１０ｂで示す方向に回動する。
【０１１８】
この回動に伴い第２のコネクタ５が上方に移動する。また、上記回動により、棒状部２５が幅方向の中央側に弾性変形して信号端子用被係止部２３が信号端子用係止部１１からはずれる。レバー７をさらに回動すると、第２のコネクタ５の信号端子１３が第１のコネクタの信号端子から離れる。
【０１１９】
さらに、レバー７を回動すると、図１１で示すように、レバー７が所定の中間位置に位置して所定の中間状態になる。この所定の中間状態では、第２のコネクタ５の強電端子１５は第１のコネクタの強電端子に接続されている。また、強電端子用被係止部２１が強電端子用係止部９に当接しており、レバー７は、これ以上、離脱位置側（矢印Ａ１１ａで示す側）には回動しないようになっている。
【０１２０】
図１１に示す状態において、強電端子用解除操作部１９に矢印Ａ１１ｂで示す力を加えると、棒状部５９が弾性変形して、強電端子用被係止部２１が強電端子用係止部９から外れて、レバー７が、離脱位置側（矢印Ａ１１ａで示す側）に回動できるようになる。
【０１２１】
そこで、強電端子用解除操作部１９に矢印Ａ１１ｂで示す力を加たまま、レバー７に力を加えて、レバー７を矢印Ａ１１ａで示す側に回動させると、レバー７が回動するとともに、第２のコネクタ５が次第の上方に移動して第１のコネクタから次第に離れて、第２のコネクタ５の強電端子１５が第１のコネクタの強電端子から離れる。レバー７をさらに回動させると、図１２離脱状態になる。
【０１２２】
なお、図１２に示す離脱状態から図１０に示す嵌合状態にするには、レバー７を、図１２の矢印Ａ１２で示す側に単に回動させればよい。
【０１２３】
［第３の実施形態］
本発明の題３の実施形態に係るコネクタ係合体１ｂは、信号端子用被係止部２３と強電端子用被係止部２１と強電端子用解除操作部１９とが、レバー７から延出している弾性部（小アーム部）１３の先端部に形成されている点が、第１の実施形態に係るコネクタ係合体１と異なり、その他の点は、第１の実施形態に係るコネクタ係合体１とほぼ同様に構成されており、コネクタ係合体１とほぼ同様の効果を奏する。
【０１２４】
コネクタ係合体１ｂでは、図１３〜図１７で示すように、レバー７が嵌合位置（図１５参照）に位置している状態で、信号端子用解除操作部１７に力を加えてレバー７を所定の中間位置の側（図１５に矢印Ａ１５で示す側）に回動させると、弾性部６１が弾性変形して信号端子用被係止部２３が信号端子用係止部１１からはずれ、弾性部６１が復元し、レバー７が所定の中間位置（図１６）まで回動するようになっている。
【０１２５】
レバー７が所定の中間位置まで回動すると、強電端子用係止部９に強電端子用被係止部２１が係止され、レバー７が所定の中間位置から離脱位置側（図１６に矢印Ａ１６ａで示す側）には回動できないように（回動不可能に）なっている。
【０１２６】
また、レバー７が所定の中間位置まで回動し強電端子用係止部９に強電端子用被係止部２１が係止されているときに、強電端子用解除操作部１９に力（図１６に矢印Ａ１６ｂで示す方向の力）を加えて弾性部６１を弾性変形させると、強電端子用被係止部２１が強電端子用係止部９から外れ、レバー７が中間位置から離脱位置まで（図１６に矢印Ａ１６ａで示す側に）回動可能になっている。）
なお、コネクタ係合体１ｂでは、信号端子用係止部１１と信号端子用被係止部２３とは幅方向の両端部に一対で設けられており、強電端子用被係止部２１と強電端子用係止部９とは幅方向の中央部に設けられている。
【０１２７】
［第４の実施形態］
本発明の第４の実施形態に係るコネクタ係合体１ｃは、信号端子用係止部１１と強電端子用被係止部２１と強電端子用解除操作部１９とが、第２のコネクタ５に設けられており、信号端子用解除操作部１７と強電端子用係止部９と信号端子用被係止部２３とが、レバー７に設けられている点が、第１の実施形態に係るコネクタ係合体１と異なり、その他の点は、第１の実施形態に係るコネクタ係合体１とほぼ同様に構成されており、コネクタ係合体１とほぼ同様の効果を奏する。
【０１２８】
すなわち、コネクタ係合体１ｃは、図１８〜図２２で示すように、信号端子と強電端子とを備えた第１のコネクタ（図示せず）と、第２のコネクタ５とレバー７とを備えて構成されている。
【０１２９】
第２のコネクタ５は、信号端子用係止部１１と、強電端子用被係止部２１と、強電端子用解除操作部１９と、第１のコネクタに嵌合したときに第１のコネクタの信号端子に接続される信号端子１３と、第１のコネクタに嵌合したときに第１のコネクタの強電端子に接続される強電端子１５とを備えて構成されている。
【０１３０】
また、レバー７は、信号端子用解除操作部１７と、第２のコネクタ５の強電端子用被係止部２１が係止される強電端子用係止部９と、第２のコネクタ５の信号端子用係止部１１に係止される信号端子用被係止部２３とを備えて構成されている。
【０１３１】
また、レバ−７は、第１のコネクタと第２のコネクタ５とに係合し、第１のコネクタと第２のコネクタ５とに対して嵌合位置（図２０参照）と離脱位置（図２２参照）との間で相対的に動くことで、第１のコネクタと第２のコネクタ５との間に嵌合力と離脱力とを作用させるように構成されている。
【０１３２】
そして、レバー７が嵌合位置に位置しているときには、信号端子用被係止部２３が信号端子用係止部１１に係止されて、各信号端子同士と前記各強電端子とがお互いに接続されるように構成されている。
【０１３３】
レバー７が嵌合位置と離脱位置との間の位置である所定の中間位置（図２１参照）に位置しているときには、各強電端子がお互いに接続され、各信号端子がお互いに離れるように構成されている。
【０１３４】
レバー７が離脱位置に位置しているときには、各強電端子がお互いに離れ、各信号端子がお互いに離れるように構成されている。
【０１３５】
レバー７が嵌合位置に位置しているときに、信号端子用解除操作部１７に力を加えることで信号端子用被係止部２３が信号端子用係止部１１から外れレバー７が所定の中間位置まで回動可能になるように構成されている。
【０１３６】
また、レバー７が所定の中間位置に位置しているときに、強電端子用解除操作部１９に力を加えることで強電端子用被係止部２１が強電端子用係止部９から外れレバー７が離脱位置まで回動可能になるように構成されている。
【０１３７】
コネクタ係合体１ｃでは、強電端子用係止部９が、レバー７の一対のアーム部２９に形成されている。また、コネクタ係合体１ｃでは、強電端子用解除操作部１９と強電端子用係止部９とが、アーム部６３の先端部に形成されている。
【０１３８】
アーム部６３は第２のコネクタ５の所定の箇所（上側縦方向の一端部側の部位であって幅方向の両端）から上方に一対で突出している。
【０１３９】
そして、第２のコネクタ５を第１のコネクタに嵌合するときや第２のコネクタ５を第１のコネクタから離脱させるとき（第２のコネクタ５を第１のコネクタに着脱するとき）に、アーム部６３が、弾性変形するようになっている。
【０１４０】
なお、一対の強電端子用被係止部２１は、レバー７のアーム部２９の内側に形成されており、図２０に示す嵌合状態や図２１で示す所定の中間状態では、一対の強電端子用被係止部２１がアーム部２９の内側（幅方向の中央側）に位置している。
【０１４１】
したがって、一対の強電端子用被係止部２１がアーム部２９の強電端子用係止部９から外れるときや、一対の強電端子用被係止部２１をアーム部２９の強電端子用係止部９に係合させるときには、一対の強電端子用被係止部２１がお互いに接近するように（幅方向の庁側に移動するように）、アーム部６３が弾性変形するようになっている。
【符号の説明】
【０１４２】
１、１ａ、１ｂ、１ｃ  コネクタ係合体
５  第２のコネクタ
７  レバー
９  強電端子用係止部
１１  信号端子用係止部
１３  信号端子
１５  強電端子
１７  信号端子用解除操作部
１９  強電端子用解除操作部
２１  強電端子用被係止部
２３  信号端子用被係止部
２９  アーム部
３１  連結部
４３  レバー側ロック干渉部
５７  可動ロックストッパー
【図１】
0005753465.tif 000002
【図２】
0005753465.tif 000003
【図３】
0005753465.tif 000004
【図４】
0005753465.tif 000005
【図５】
0005753465.tif 000006
【図６】
0005753465.tif 000007
【図７】
0005753465.tif 000008
【図８】
0005753465.tif 000009
【図９】
0005753465.tif 000010
【図１０】
0005753465.tif 000011
【図１１】
0005753465.tif 000012
【図１２】
0005753465.tif 000013
【図１３】
0005753465.tif 000014
【図１４】
0005753465.tif 000015
【図１５】
0005753465.tif 000016
【図１６】
0005753465.tif 000017
【図１７】
0005753465.tif 000018
【図１８】
0005753465.tif 000019
【図１９】
0005753465.tif 000020
【図２０】
0005753465.tif 000021
【図２１】
0005753465.tif 000022
【図２２】
0005753465.tif 000023
【図２３】
0005753465.tif 000024
【図２４】
0005753465.tif 000025
【図２５】
0005753465.tif 000026